(57)【要約】【課題】  記録メディアを挿入しなくても、その履歴を知ることができる記録再生装置を提供する。【解決手段】  不揮発性メモリに履歴テーブルHTBLを設ける。この履歴テーブルHTBLに、過去に挿入した記録メディアの認識情報、最初および最後の記録日時の情報、記録内容の情報、およびＲＷ系メディアに対する書き換え回数の履歴を保存する。所定の操作をしたとき、履歴テーブルHTBLから履歴を読み出す。この読み出した履歴の内容を、過去に挿入した記録メディアごとに一覧表示する。【選択図】  図５
2009026415.tif 000002
【特許請求の範囲】
【請求項１】
不揮発性メモリを有し、
この不揮発性メモリに、過去に挿入した記録メディアの認識情報、最初および最後の記録日時の情報、記録内容の情報、およびＲＷ系メディアに対する書き換え回数の履歴を保存し、
所定の操作をしたとき、上記不揮発性メモリから上記履歴を読み出し、
この読み出した履歴の内容を、上記過去に挿入した記録メディアごとに一覧表示する
ようにした記録再生装置。
【請求項２】
請求項１に記載の記録再生装置において、
上記記録メディアは光ディスクである
ようにした記録再生装置。
【請求項３】
請求項１に記載の記録再生装置において、
上記記録内容の情報は、その記録内容から生成したサムネイルである
ようにした記録再生装置。
【発明の詳細な説明】
【技術分野】
【０００１】
この発明は、記録再生装置に関する。
【背景技術】
【０００２】
近年、大量生産が容易な光ディスクを記録に使用するようにした各種のシステムが製品化されている。例えば、ＤＶＤ±ＲＷ、ＤＶＤ±Ｒ、ＤＶＤ−ＲＡＭなどの光ディスクを記録メディアとして使用するビデオカメラレコーダ（ビデオカメラ一体型レコーダ）などのビデオレコーダ（記録再生装置）がある。
【０００３】
この場合、ＤＶＤディスクには、直径が12cmの標準サイズのディスクと、直径が８cmのミニサイズのディスクとがあるが、一般に、ビデオカメラレコーダにおいては、ミニサイズのＤＶＤディスクが使用され、デッキタイプのビデオレコーダにおいては、標準サイズ（およびミニサイズ）のＤＶＤディスクが使用されている。
【０００４】
しかし、ミニサイズのＤＶＤディスクは、ディスク１枚あたりの容量が小さいので、記録するときのデータレート、つまり、画質にもよるが、その記録可能時間は10〜20分程度である。このため、ビデオカメラレコーダを運動会や旅行などのイベントに持参して長時間の撮影を行う場合には、複数枚のディスクが必要になるとともに、その複数枚のディスクを入れ換える必要がある。
【０００５】
したがって、そのようにして記録したディスクの順序、つまり、あるディスクが何枚目に記録したものであるかを判断するには、ディスクのそれぞれをプレーヤ装置に挿入して記録日時や撮影内容を確認し、これを記憶あるいは書き取る必要がある。つまり、それだけの作業をユーザが行うことにより、ようやくディスクの順序が分かる。
【０００６】
しかも、実際には、ディスクをプレーヤ装置に挿入してから記録日時や撮影内容などの情報を確認できるようになるまでには、ディスクからそれらの情報を読み出すための時間が必要なので、数秒の時間を必要とし、素早く行うことはできない。
【０００７】
したがって、複数のディスクの順序を調べ、あらためてディスクにタイトルや記録日時などを記入しようとすると、その作業は非常に煩わしいものとなってしまう。
【０００８】
そこで、例えば、ディスクの情報を別の媒体で管理することによりユーザに素早く情報を提供する方法などが、例えば下記の特許文献において提案されている。
【０００９】
しかし、これは挿入したディスクの情報を素早く提供できるだけであり、過去に入れ換えたディスクの履歴に関する情報は提供されない。このため、上記の何枚目に記録したディスクであるかの確認の場合には、記録したすべてのディスクを挿入してディスクの情報を確認する必要があり、ディスクの管理が容易ではない。
【００１０】
なお、先行技術文献として例えば以下のものがある。
【特許文献１】特開２００１−３３２０１０号公報
【特許文献２】特開２００５−０５６４６６号公報
【発明の開示】
【発明が解決しようとする課題】
【００１１】
上述のように、未整理のディスクが多数ある場合、特に１つのイベントを複数のディスクに分けて記録した場合、そのディスク自体の判別あるいは記録順序の判別の作業が非常に煩わしいものとなってしまう。
【００１２】
また、書き換え可能（リライタブル）なディスクには、その書き換え可能な回数に上限があるので、書き換えの回数がその上限に近づいたときには、記録（書き換え）の失敗の可能性が高くなってしまう。
【００１３】
この発明は、以上のような問題点を解決しようとするものである。
【課題を解決するための手段】
【００１４】
この発明においては、
不揮発性メモリを有し、
この不揮発性メモリに、過去に挿入した記録メディアの認識情報、最初および最後の記録日時の情報、記録内容の情報、およびＲＷ系メディアに対する書き換え回数の履歴を保存し、
所定の操作をしたとき、上記不揮発性メモリから上記履歴を読み出し、
この読み出した履歴の内容を、上記過去に挿入した記録メディアごとに一覧表示する
ようにした記録再生装置
とするものである。
【発明の効果】
【００１５】
この発明によれば、過去に挿入した記録メディアについて、あらためて挿入しなくても。その履歴を簡単に確認することができる。また、過去何番目に記録した記録メディアであるかの確認も容易に行うことができる。さらに、書き換え可能な記録メディアについて、残りの書き換え可能回数を確認することもできる。
【発明を実施するための最良の形態】
【００１６】
ここでは、この発明を、記録メディアとしてミニサイズのＤＶＤディスクを使用するビデオカメラレコーダに適用した場合について説明する。
【００１７】
〔１〕  構成および基本的な動作
図１は、この発明を適用したビデオカメラレコーダの一形態を示す系統図である。すなわち、符号１０は撮像・記録系を示し、記録時には、被写体（人物）１１の像が撮像レンズ１２により撮像素子、例えばＣＣＤ撮像素子１３に投影され、ＣＣＤ撮像素子１３からは被写体１１の映像信号Ｓ13が取り出される。そして、この映像信号Ｓ13が前処理回路１４に供給されてＡＧＣ、ピークリミット、ガンマ補正などの前処理が行われた映像信号Ｓ14とされ、この映像信号Ｓ14がＡ／Ｄコンバータ回路１５に供給されてデジタル映像信号Ｓ15にＡ／Ｄ変換される。
【００１８】
そして、この映像信号Ｓ15がエンコーダ回路１６に供給されて例えばＭＰＥＧ方式によりデータ圧縮された映像信号Ｓ16にエンコードされ、このエンコード信号Ｓ16が変調回路１７に供給されて記録用の変調処理が行われた記録信号Ｓ17とされ、この信号Ｓ17が出力アンプ１８を通じてＤＶＤドライブ装置２０に供給され、ミニサイズのディスク２１に記録される。
【００１９】
また、符号３０は再生系を示し、再生時には、ドライブ装置２０によりディスク２１から信号Ｓ17が読み出され、この読み出された信号Ｓ17がヘッドアンプ３１を通じて復調回路３２に供給され、もとのエンコード信号Ｓ16が復調される。そして、このエンコード信号Ｓ16がデコーダ回路３３に供給されてもとのデジタル映像信号Ｓ15にデコードされ、この映像信号Ｓ15がＤ／Ａコンバータ回路３４に供給されてもとのアナログの映像信号Ｓ14にＤ／Ａ変換され、この映像信号Ｓ14が例えばＬＣＤパネルにより構成されたディスプレイ３５に供給され、映像として表示される。
【００２０】
また、符号４０はシステム制御用のマイクロコンピュータを示し、これは、各種のプログラムを実行するＣＰＵ４１、各種のプログラムが保存されているＲＯＭ４２、ワークエリア用のＲＡＭ４３、このビデオカメラレコーダに固有の情報やユーザの設定した情報などを保存しておくための不揮発性メモリ４４、撮影時刻などを知るための時計回路４５などを有する。そして、このマイクロコンピュータ４０には、各種の操作ボタン４６が接続されている。さらに、マイクロコンピュータ４０からドライブ装置２０にそれぞれの処理のためのデータおよび制御信号が供給される。
【００２１】
なお、ＲＯＭ４２は、これに保存されているプログラムの一部として、例えば図２〜図４に示すルーチン１００〜３００を有する。このルーチン１００〜３００の詳細については後述するが、図２〜図４においては、この発明に関係する部分だけを抜粋して示している。
【００２２】
さらに、不揮発性メモリ４４には、例えば図５に示すような、履歴テーブルHTBLが用意される。この履歴テーブルHTBLは、ビデオカメラレコーダで撮影ないし記録を行ったディスクの履歴を示すものである。このため、履歴テーブルHTBLは、その最上行に項目名（データ名）を示すように、通し番号、識別データ、メディアの種類、作成日時、更新日時、ファイナライズ、書き換え回数、サムネイルの開始アドレスのデータを１組とし、その１組をディスク２１の１枚ごとに、履歴情報として有するものである。
【００２３】
ここで、通し番号は、ディスク２１の１枚ごとに与えられた番号であり、例えばユーザがディスク２１を区別する場合などに使用される。また、識別データは、ディスク２１を識別するための情報で、ディスク２１の場合であれば、ＤＶＤディスクごとにあらかじめ記録されている固有の識別情報である。なお、そのような固有の識別情報が記録されていないディスクの場合には、例えば、そのディスクのファイル管理テーブルや記録されている映像（動画）の開始点から所定の区間のデータなどとされる。あるいはディスクにリザーブ領域がある場合には、そのリザーブ領域にビデオカメラレコーダが生成して書き込んだ識別情報とされる。
【００２４】
また、メディアの種類は、ディスク２１が、ＤＶＤ±Ｒ、ＤＶＤ±ＲＷ、ＤＶＤ−ＲＡＭのどれであるかを示し、作成日時は、対応するディスク２１に最初に記録を行った日時を示し、更新日時は、対応するディスク２１への追記録や上書き記録などを最後に行った日時を示す。また、ファイナライズは、ファイナライズ処理を実行済みであるか否かを示し、書き換え回数は、ディスク２１がＤＶＤ±ＲＷのように、書き換え可能な場合、その書き換えを行った回数を示す。
【００２５】
さらに、サムネイルの開始アドレスは、詳細は後述するが、対応するディスク２１に記録されている映像（動画）の１つあるいは複数のフレームを、サムネイルの状態で不揮発性メモリ４４に保存するので、その保存先の開始アドレスを示す。なお、この履歴テーブルRTBLの１行（１組）は、作成日時の順、つまり、通し番号の順に追加されていく。こうして、この履歴テーブルHTBLの１行の履歴情報が、対応するディスク２１の履歴を示している。
【００２６】
また、時計回路４５は、ディスク２１への記録が行われたとき、そのディスク２１および履歴テーブルHTBLの作成日時および更新日時などの管理に使用されるものである。
【００２７】
〔２〕  ＤＶＤディスク２１をビデオカメラレコーダに挿入した場合の動作
ビデオカメラレコーダにＤＶＤディスク２１を挿入すると、ＣＰＵ４１の処理がルーチン１００のステップ１０１からスタートし、次にステップ１０２において、ディスク２１からその識別データ（図５の第２列の識別データに対応するデータ）やファイルの管理情報などのディスク情報が読み出され、ステップ１０３において、ステップ１０２により読み出した情報のうち、識別データが履歴テーブルHTBL（図５）に含まれるか否かが判別される。
【００２８】
そして、ステップ１０２により読み出した識別データが、履歴テーブルHTBLに含まれない場合は、そのディスク２１がこのビデオカメラレコーダにおいては初めて使用される場合なので、処理はステップ１０３からステップ１１１に進み、このステップ１１１において、そのディスク２１が履歴テーブルHTBLに新しく登録される。このときの登録内容には、そのディスク２１の識別データが含まれるとともに、そのディスク２１にすでに記録が行われているときには、その記録についての情報も含まれる。そして、その後、ステップ１１２によりルーチン１００を終了する
こうして、このビデオカメラレコーダにとって、まったく新しいディスク２１を挿入した場合には、そのディスク２１が履歴テーブルHTBLに新しく登録される。
【００２９】
一方、ステップ１０３において、ステップ１０２により読み出した識別データが、履歴テーブルHTBLに含まれている場合は、そのディスク２１がこのビデオカメラレコーダにおいて以前に使用されたことがある場合なので、処理はステップ１０３からステップ１２１に進み、このステップ１２１において、履歴テーブルHTBLに登録されているディスクの情報と、ディスク２１の情報とが等しいか否かが判別される。
【００３０】
そして、両者が等しい場合は、そのディスク２１に対して他機による記録や消去などがない場合なので、処理はステップ１２１からステップ１１２に進み、ルーチン１００を終了する。つまり、ディスク２１の内容に変化がなかった場合には、実質的な処理は何もされない。
【００３１】
さらに、ステップ１２１において、履歴テーブルHTBLに登録されているディスクの情報と、ディスク２１の情報とが異なる場合は、そのディスク２１に対して他機により記録や消去などが行われた場合なので、処理はステップ１２１からステップ１２２に進み、このステップ１２２において、履歴テーブルHTBLのうち、そのディスク２１に対応する組（行）の情報が、そのディスク２１の情報にしたがって更新され、その後、ステップ１１２によりルーチン１００を終了する。つまり、履歴テーブルHTBLの情報は、そのディスク２１の情報にしたがったものに更新される。
【００３２】
こうして、ルーチン１００によれば、履歴テーブルHTBLの情報は、常にビデオカメラレコーダに挿入されたディスク２１の情報あるいは内容に対応したものとされる。
【００３３】
〔３〕  ＤＶＤディスク２１へ記録などをする場合の動作
被写体１１の撮影・記録を行った場合には、〔１〕において説明したように、その映像信号がＤＶＤディスク２１に記録される。また、ディスク２１に対する消去、ファイナライズなども、操作ボタン４６の操作およびディスプレイ３５の表示にしたがって実行される。
【００３４】
さらに、サムネイルの生成・保存の操作を行うと、サムネイルの画像データが生成されて不揮発性メモリ４４に保存されるとともに、その保存先の開始アドレスが履歴テーブルHTBLのサムネイルの開始アドレス欄のうち、対応するディスク２１の開始アドレス欄に書き込まれる。
【００３５】
〔４〕  ＤＶＤディスク２１をビデオカメラレコーダから取り出す場合の動作
例えば操作ボタン４６のうちのイジェクトボタンを押すと、ＣＰＵ４１の処理がルーチン２００のステップ２０１からスタートし、次にステップ２０２において、ディスク２１の内容に変更があったか否か、例えば記録、消去、ファイナライズが行われたか否かが判別される。
【００３６】
そして、ディスク２１の内容に変更があった場合には、処理はステップ２０２からステップ２１１に進み、このステップ２１１において、マイクロコンピュータ４０から変調回路１７に所定のデータが供給され、ディスク２１における管理情報が、その内容の変更に対応して更新される。例えば、記録や消去が行われた場合には、その対応する映像の記録日時が更新される。
【００３７】
続いて、ステップ２１２において、履歴テーブルHTBLのうち、ビデオカメラレコーダ煮挿入されているディスク２１に対応する情報が、ステップ２１１の更新内容に対応して更新される。次に、ステップ２１３において、そのディスク２１がビデオカメラレコーダから手動でイジェクトできる状態、あるいは自動でイジェクトされ、その後、ステップ２１４によりルーチン２００を終了する。
【００３８】
なお、ステップ２０２において、ディスク２１の内容に変更がなかった場合には、処理はステップ２０２からステップ２１３に進み、その後、ステップ２１４によりルーチン２００を終了する。
【００３９】
したがって、ルーチン２００によれば、ディスク２１をビデオカメラレコーダに挿入した後に記録などによりディスク２１の内容に変更があった場合には、その変更に対応して履歴テーブルHTBLが更新される。
【００４０】
〔５〕  ＤＶＤディスク２１の内容の確認の場合の動作
操作ボタン４６のうちの内容確認ボタン４６Ｃを押すと、ＣＰＵ４１の処理がルーチン３００のステップ３０１からスタートし、次にステップ３０２において、履歴テーブルHTBLの内容がディスプレイ３５に表示されているか否かが判別される。
【００４１】
そして、表示されていない場合は、処理はステップ３０２からステップ３１１に進み、このステップ３１１において、履歴テーブルHTBLの履歴情報が読み出され、次にステップ３１２において、例えば図６に示すように、履歴テーブルHTBLに登録されている履歴情報が、履歴リストHLSTとしてディスプレイ３５に表示される。
【００４２】
この場合、この例においては、履歴リストHLSTには、履歴テーブルHTBLに登録されている履歴情報のうち、８枚のディスクの情報が、１枚のディスクにつき１行の割り合いで表示される。また、表示項目としては、履歴テーブルHTBLの履歴情報のうち、通し番号、メディアの種類、作成日時、更新日時、ファイナライズ、書き換え回数、およびサムネイルボタンとされ、通し番号が逆順となるように、すなわち、作成日時の新しいディスク２１から順に履歴情報が表示される。
【００４３】
図６の場合、作成日時および更新日時によれば、通し番号３〜６のディスクは、同日に、この順に使用されたことがわかる。また、通し番号４のディスク２１は、未ファイナライズであることもわかる。
【００４４】
なお、サムネイルボタンは、操作ボタン４６のうちのカーソルボタンおよび決定ボタンにより選択・操作できるものである。また、履歴テーブルHTBLに登録されているディスク２１の枚数が、履歴リストHLSTに表示できる行数、今の場合は、８行（８枚）よりも多い場合は、操作ボタン４６のうちのスクロールボタンを操作することにより、表示が上下方向にスクロールされ、すべてのディスク２１について履歴が表示可能とされている。
【００４５】
さらに、ビデオディスクレコーダにディスク２１が挿入されている場合には、そのディスク２１に対応する行の表示が他の行とは異なるものとされ、例えば背景の色が変更され、その挿入されているディスク２１が明示される。図６においては、通し番号７のディスク２１を挿入した場合であり、このため、２行目の背景色が変更されている（これを斜線で示す）場合である。
【００４６】
そして、ステップ３１２に続いて処理は、ステップ３２１に進み、このステップ３２１において、内容確認ボタン４６Ｃおよびサムネイルボタン（図６）の入力待ちとなる。そこで、サムネイルボタンのうちの１つを押すと、処理はステップ３２１からステップ３２２に進み、操作されたボタンが判別され、今の場合、サムネイルボタンのうちの１つなので、処理はステップ３２２からステップ３２３に進む。
【００４７】
そして、このステップ３２３において、履歴テーブルHTBLのサムネイルの開始アドレス欄のうち、（ステップ３２１において）押されたサムネイルボタンが対応している開始アドレス欄を参照することにより、不揮発性メモリ４４からサムネイルの画像データが取り出される。次にステップ３２４において、その画像データが、マイクロコンピュータ４０からＤ／Ａコンバータ回路３４に供給され、ディスプレイ３５には、サムネイルボタンを押したディスク２１に設定されているサムネイルが表示される。なお、履歴テーブルHTBLのサムネイルの開始アドレス欄に、例えばチャプタごとに開始アドレスが登録されているように、複数個が登録されている場合には、対応するすべてのサムネイルが表示される。
【００４８】
こうして、操作ボタン４６のうちの内容確認ボタン４６Ｃを押すと、ビデオカメラレコーダにディスク２１が挿入されていなくても、ディスク２１の内容を確認することができるとともに、サムネイルを表示することもできる。そして、このとき、ＣＰＵ４１の処理はステップ３２３からステップ３２１に戻り、再び操作ボタン４６Ｃおよびサムネイルボタンの入力待ちとなる。
【００４９】
したがって、以後、サムネイルボタンを押すと、その押すごとに、対応するサムネイルの画像データが不揮発性メモリ４４から読み出され、対応するサムネイルがディスプレイ３５に表示されことになる。
【００５０】
また、ステップ３２１で入力待ちの場合に、内容確認ボタン４６Ｃを押すと、処理はステップ３２１からステップ３２２を通じてステップ３１１に戻り、したがって、再び履歴テーブルHTBLの履歴情報が読み出され、続くステップ３１２において、例えば図６に示すように、履歴テーブルHTBLに登録されている履歴情報のうち、連続する８枚分がディスプレイ３５に表示される。
【００５１】
さらに、ステップ３２１で入力待ちの場合に、操作ボタン４６のうちの取り消しボタンを押すと、処理はステップ３２１からステップ３２２を通じてステップ３３１に進み、このステップ３３１において、それまでディスプレイ３５に表示されていた内容が消去され、その後、ステップ３３２によりルーチン３００を終了する。
【００５２】
また、ステップ３０２において、このとき履歴テーブルHTBLの内容がディスプレイ３５に表示されているか否かが判別された結果、表示されているときには、処理はステップ３０２からステップ３３１に進み、やはり、それまで表示されていた内容の表示が消去され、その後、ステップ３３２によりルーチン３００を終了する。
【００５３】
したがって、内容確認ボタン４６Ｃを押すと、その押すごとに履歴テーブルHTBLの内容の表示を許可・禁止することができる。また、履歴テーブルHTBLが表示されている場合には、サムネイルボタンを押すことにより、対応するディスク２１に記録されている内容のサムネイルを表示することができる。
【００５４】
〔６〕  まとめ
上述のビデオカメラレコーダによれば、過去に挿入したディスク２１の履歴を表示することができるとともに、書き換え回数やファイナライズ処理などの情報も合わせて表示することができる。また、過去に挿入したディスク２１を挿入した場合に、表示される履歴リストHLSTの該当するディスクの情報を目立たせて表示することができる。
【００５５】
したがって、過去に挿入されたディスク２１の履歴を簡単に確認することができ、また、過去何枚目に記録したディスクであるかの確認も容易に行うことができる。
【００５６】
さらに、それ以上記録をしないディスクについて、ファイナライズし忘れることを防止できる。また、ＤＶＤ±ＲＷのような書き換え可能なディスクについて、残りの書き換え可能回数を確認することもできる。
【００５７】
さらに、ディスク２１をビデオカメラレコーダに挿入してそのディスク２１の内容や情報を知る場合には、ディスク２１から必要な情報を読み出すために時間がかかる。しかし、上述のビデオカメラレコーダにおいては、ディスク２１に通し番号を与えているので、その通し番号を例えばディスク２１やその収納ケースにメモしておくことにより、図６に示すように履歴リストHLSTを表示し、ディスク２１や収納ケースにメモしておいた通し番号を照らし合わせれば、ディスク２１をビデオカメラレコーダにまったく挿入しなくても、その内容を知ることができ、すなわち、そのディスク２１の内容や情報を素早く知ることができる。この結果、ディスク２１をあとでまとめて整理するような場合でも、これが容易となる。
【００５８】
〔７〕  その他
上述において、通し番号は、ある程度の大きさ、例えば「１００」に達した場合には、次は「１」に戻すこともでき、そのようにすれば、履歴テーブルHTBLのサイズを節約することができる。また、履歴テーブルHTBLを編集したり、履歴リストHLSTの表示に条件を付けたりするようにもできる。
【００５９】
また、上述においては、ＤＶＤディスク、すなわち、光ディスクを記録メディアとして使用しているが、光磁気ディスク、不揮発性メモリカード、テープストレージなどの入れ換え可能な記録メディアであればよい。また、デッキタイプのレコーダにも、この発明を適用することができる。
【００６０】
〔略語の一覧〕
Ａ／Ｄ  ：Analog to Digital
ＡＧＣ  ：Automatic Gain Control
ＣＣＤ  ：Charge Coupled Device
ＣＰＵ  ：Central Processing Unit
Ｄ／Ａ  ：Digital to Analog
ＤＶＤ±Ｒ    ：DVD +Recordable, DVD Recordable
ＤＶＤ−ＲＡＭ：DVD Random Access Memory
ＤＶＤ±ＲＷ  ：DVD +ReWritable, DVD ReWritable
ＬＣＤ  ：Liquid Crystal Display
ＭＰＥＧ：Motion Picture Experts Group
ＲＡＭ  ：Random Access Memory
ＲＯＭ  ：Read Only Memory
【図面の簡単な説明】
【００６１】
【図１】この発明の一形態を示す系統図である。
【図２】この発明の一部の一形態を示すフローチャートである。
【図３】この発明の一部の一形態を示すフローチャートである。
【図４】この発明の一部の一形態を示すフローチャートである。
【図５】履歴テーブルの一形態を示す図である。
【図６】履歴の表示例を示す図である。
【符号の説明】
【００６２】
１０…撮像・記録系、１１…被写体、１２…撮像レンズ、１３…撮像素子、１４…前処理回路、１６…エンコーダ回路、１７…変調回路、２０…ＤＶＤドライブ装置、２１…ＤＶＤディスク、３２…復調回路、３３…デコーダ回路、３５…ディスプレイ、４０…マイクロコンピュータ、４１…ＣＰＵ、４４…不揮発性メモリ、４５…時計回路、４６…操作ボタン
【図１】
2009026415.tif 000003
【図２】
2009026415.tif 000004
【図３】
2009026415.tif 000005
【図４】
2009026415.tif 000006
【図５】
2009026415.tif 000007
【図６】
2009026415.tif 000008